(57)【要約】      （修正有）【課題】親子フィラーの各座部に脚部を形成させることで、アンカーボルトの位置如何に拘らず座金の機能を確実に果たし、ベースプレートの大型化が避けられ、接合部の位置修正もきわめて容易な構造物躯体のベースプレートを固定するアンカーボルトの締め付けナット用金物である親子フィラーを提供する。【解決手段】それぞれ座部と同心に脚部を形成してＴ字形とした上下の金物で親子フィラーとし、上金物２にアンカーボルト３の径にあわせた径のボルト孔を偏心して形成し、ボルト孔を脚部の外周に接するように位置させ、下金物１の脚部の径をベースプレート５に形成したアンカーボルト挿通孔６にあわせた径とすると共に、下金物１に上金物２の脚部の径にあわせた径の孔を偏心して形成して孔を下金物１の脚部の外周に接するように位置させ、下金物１の孔に上金物２の脚部を挿入して上下に重積される。【選択図】図８
0003184961.tif 000002
【実用新案登録請求の範囲】
【請求項１】
接合部のベースを固定するアンカーボルトの締め付けナット用金物において、
それぞれ座部と同心に脚部を形成してＴ字形とした上下の金物で親子フィラーとし、
上金物にアンカーボルトの径にあわせた径のボルト孔を偏心して形成して該ボルト孔を脚部の外周に接するように位置させ、
下金物の脚部の径をベースプレートに形成したアンカーボルト挿通孔にあわせた径とすると共に、該下金物に前記上金物の脚部の径にあわせた径の孔を偏心して形成し、該孔を該下金物の脚部の外周に接するように位置させ、
下金物の前記孔に上金物の脚部を挿入して上下に重積されるようにした、
ことを特徴とする親子フィラー。
【考案の詳細な説明】
【技術分野】
【０００１】
本考案は、建築土木における構造物躯体を接合するアンカーボルトの締め付けに用いる金物に関する。
【背景技術】
【０００２】
建築土木における構造物躯体を接合するアンカーボルトは、基礎コンクリートに定着され、ベースプレートに穿孔された比較的に大きな孔を貫通させ、該ボルトの上端側に座金とナットを用いて基礎コンクリートとの接合に供されている。そして、前記ベースプレートに穿孔された孔径とアンカーボルトの径が大きく相違するため、該孔内にベースモルタル等の積め物を充填して躯体からのせん断力のせん断抵抗を負担させていた（例えば、特許文献１参照。）。
【先行技術文献】
【特許文献】
【０００３】
【特許文献１】特開２００５−６１１０４号公報
【考案の概要】
【考案が解決しようとする課題】
【０００４】
しかし、アンカーボルトはベースプレートに穿孔された孔内での貫通位置が不定であり、該孔の中心線から大きく離れて貫通することがあるため上記従来の技術においては、座金の機能を充分に呆たすよう比較的に余裕を持った大きな径の座金を必要とするものであり、その分、ベースプレートも大型化する。また、前記積め物は座金と別体であり、この積め物が正確に充填され保持されているのかの確認が難しく、一旦孔内に積め物が充填されるとその後の構造物躯体の位置修正が非常に困難である。また、モルタル等の積め物では所望のせん断抵抗が得難いという問題があった。
【０００５】
本考案は、前記課題を解決するためのものであり、その目的とするところは、親子フィラーの各座部に脚部を形成させることにより、アンカーボルトの位置如何に拘らず座金の機能を確実に呆たし、しかもベースプレートの大型化が避けられ、接合部の位置修正もきわめて容易な構造物躯体のベースプレートを固定するアンカーボルトの締め付けナット用金物である親子フィラーを提供することにある。
【課題を解決するための手段】
【０００６】
かかる目的を達成するために、本考案は、以下の特徴を有することとする。
【０００７】
本考案に係る親子フィラーは、接合部のベースを固定するアンカーボルトの締め付けナット用金物において、それぞれ座部と同心に脚部を形成してＴ字形とした上下の金物で親子フィラーとし、上金物にアンカーボルトの径にあわせた径のボルト孔を偏心して形成して該ボルト孔を脚部の外周に接するように位置させ、下金物の脚部の径をベースプレートに形成したアンカーボルト挿通孔にあわせた径とすると共に、該下金物に前記上金物の脚部の径にあわせた径の孔を偏心して形成し、該孔を該下金物の脚部の外周に接するように位置させ、下金物の前記孔に上金物の脚部を挿入して上下に重積されるようにしたことを特徴とする。
【考案の効果】
【０００８】
本考案によれば、座部と同心に脚部を形成してＴ字形とした下金物の脚部の径をベースプレートに形成したアンカーボルト挿通孔にあわせた径としたので、下金物の座部はベースプレートに形成した挿通孔の周辺に均等に当接されることとなり、比較的大きな径の座金を必要とせず、ベースプレートの大型化が防止される。
【０００９】
また、上金物にアンカーボルトの径にあわせた径のボルト孔を偏心して形成し、該ボルト孔を脚部の外周に接するように位置させ、下金物の脚部の径をベースプレートに形成したアンカーボルト挿通孔にあわせた径とすると共に、該下金物に前記上金物の脚部の径にあわせた径の孔を偏心して形成し、該孔を該下金物の脚部の外周に接するように位置させ、下金物の前記孔に上金物の脚部を挿入して上下に重積されるようにしたので、上下の金物は確実に保持され、且つ、アンカーボルトの位置如何に拘らず座金の機能を確実に果たし、しかも接合部の位置修正もきわめて容易な構造物躯体のベースプレートを固定するアンカーボルトの締め付けナット用金物となる。
【図面の簡単な説明】
【００１０】
【図１】本実施形態に係る親子フィラーのうち下金物の平面図である。
【図２】図１の側面図である。
【図３】図１のＡ−Ａ'断面図である。
【図４】本実施形態に係る親子フィラーのうち上金物の平面図である。
【図５】図４の側面図である。
【図６】図４のＢ−Ｂ'断面図である。
【図７】本実施形態に係る親子フィラーの平面図である。
【図８】図７のＣ−Ｃ'断面図である。
【図９】図８のＤ−Ｄ'断面図である。
【図１０】本実施形態に係る親子フィラーの斜視図である。
【考案を実施するための形態】
【００１１】
以下、本考案による一実施形態について図面を参照して詳しく説明する。
【００１２】
親子フィラーは、構造物躯体のベースプレートを固定するアンカーボルトの締め付けナット用金物であって、それぞれ座部と同心に脚部を形成してＴ字形とした上下の金物である。親子フィラーは、上金物にアンカーボルトの径にあわせた径のボルト孔を偏心して形成して該ボルト孔を脚部の外周に接するように位置させ、下金物の脚部の径をベースプレートに形成したアンカーボルト挿通孔にあわせた径とすると共に、該下金物に前記上金物の脚部の径にあわせた径の孔を偏心して形成し、該孔を該下金物の脚部の外周に接するように位置させ、下金物の前記孔に上金物の脚部を挿入して上下に重積されるようにした。
【００１３】
図１ないし図３には本実施形態に係る親子フィラーの親である下金物の説明図が示され、図４ないし図６には親子フィラーの子である上金物の説明図が示され、図７ないし図９には本実施形態に係る親子フィラーを構造物躯体のベースプレートを固定するアンカーボルトの締め付けナットに適用した説明図が示されている。
【００１４】
まず、図１ないし図３において、１は下金物であり、該下金物１は座部１１と該座部１１と同心に形成された脚部１２とでＴ字形に形成されている。
【００１５】
そして、前記脚部１２の径は後述するベースプレート５に形成したアンカーボルト挿通孔６にあわせた径としている。また下金物１には、後述する上金物２の脚部２２の径にあわせた径の孔１３が偏心して形成され、該孔１３は該下金物１の脚部１２の外周に接するように位置させてある。
【００１６】
次に、図４ないし図６において、２は上金物であり、該上金物２も座部２１と該座部２１と同心に形成された脚部２２とでＴ字形に形成されている。
【００１７】
そして、上金物２には、後述するアンカーボルト３の径にあわせた径のボルト孔２３が偏心して形成され、該ボルト孔２３は該上金物２の脚部２２の外周に接するように位置させてある。
【００１８】
これまで説明をした親子フィラーは、図７ないし図１０に示すような手段で、構造物躯体のベースプレートを固定するアンカーボルト３の締め付けナット４に適用される。即ち、 ３は基礎コンクリート９に定着されたアンカーボルトであり、５は構造物躯体７のベースプレートであり、６は前記ベースプレート５に形成されたアンカーボルト挿通孔であり、８はベースモルタルであって、前記アンカーボルト３とベースプレート５間には、下金物１と上金物２が重積されて親子フィラーを形成し、ナット４によって締め付けられるようになっている。
【００１９】
アンカーボルト３に親子フィラーを取り付けるには、アンカーボルト３の頭部から下金物１と上金物２を重積した状態でアンカーボルト３に通し、各金物１，２の脚部１２，２２がそれぞれベースプレート５に形成されたアンカーボルト挿通孔６内に納まるように各金物１，２を回動させる。そして、親子フィラーが所定の位置に配置されると、ナット４を締め付けることにより、アンカーボルト挿通孔６とアンカーボルト３が親子フィラーによって隙間なく接触することになり、アンカーボルト３とベースプレート５間は下金物１と上金物２を親子フィラーとして、ナット４によって固く締め付けられる。
【００２０】
この際、下金物１の座部１１はベースプレート５に形成した挿通孔６の周辺に均等に当接されることとなり、比較的大きな径の座金を必要としない。また、下金物１はその座部１１がベースプレート５に、上金物２はその座部２１が下金物１の座部１１によってそれぞれ確実に保持される。さらに、挿通孔６内のアンカーボルト３の位置如何に拘らず両金物１，２を回動させて金物１，２の脚部１２，２２が挿通孔６内に隙間なく配置される。
【００２１】
また、接合作業終了後もナット４と上金物２と下金物１とを外して位置修正を行えば、その作業も容易である。
【符号の説明】
【００２２】
１    下金物
２    上金物
３    アンカーボルト
４    ナット
５    ベースプレート
６    アンカーボルト挿通孔
７    構造物躯体
９    基礎コンクリート
１１    下金物の座部
１２    下金物の脚部
１３    下金物の孔
２１    上金物の座部
２２    上金物の脚部
２３    上金物のボルト孔
【図１】
0003184961.tif 000003
【図２】
0003184961.tif 000004
【図３】
0003184961.tif 000005
【図４】
0003184961.tif 000006
【図５】
0003184961.tif 000007
【図６】
0003184961.tif 000008
【図７】
0003184961.tif 000009
【図８】
0003184961.tif 000010
【図９】
0003184961.tif 000011
【図１０】
0003184961.tif 000012